(57)【特許請求の範囲】
【請求項１】
無線で送信されたデータを受信する受信手段と、
前記受信手段によって受信されたデータを記録媒体に記録する記録手段と、
前記受信手段によって受信されたデータのエラー率を検出するエラー率検出手段と、
前記エラー率検出手段の検出結果に応じて受信不良であるか否かを判定し、受信不良であると判定された期間が所定期間以上継続した場合は、前記記録手段の記録動作を停止させる制御手段
とを有することを特徴とする無線受信装置。
【請求項２】
前記受信手段は、スペクトラム拡散されたデータの復元を行うことを特徴とする請求項１に記載の無線受信装置。
【請求項３】
無線で送信されたデータを受信する受信手段と、前記受信手段によって受信されたデータを記録媒体に記録する記録手段とを有する無線受信装置の制御方法であって、
前記受信手段によって受信されたデータのエラー率を検出するステップと、
前記エラー率検出手段の検出結果に応じて受信不良であるか否かを判定するステップと、
受信不良であると判定された期間が所定期間以上継続した場合は、前記記録手段の記録動作を停止させるステップ
とを有することを特徴とする制御方法。
【請求項４】
前記受信手段は、スペクトラム拡散されたデータの復元を行うことを特徴とする請求項３に記載の制御方法。
【発明の詳細な説明】
【０００１】
【発明の属する技術分野】
本発明は、無線で送信されたデータを受信する無線受信装置及びその制御方法に関する。
【０００２】
【従来の技術】
無線伝送方式では、スペクトラム拡散方式が注目されている。一般に、直接拡散方式を用いたスペクトル拡散方式では、送信装置は、送信すべきディジタル信号のベースバンド信号を、擬似雑音（ＰＮ）符号等の拡散符号系列を用いて、原データに比べてきわめて広い帯域幅を持つ信号に拡散し、その後、ＰＳＫ（位相シフトキーイング）又はＦＳＫ（周波数シフトキーイング）等の変調方式で変調し、ＲＦ（無線周波数）信号に変換して無線送信する。受信装置側では、送信側と同一の拡散符号で受信信号と相関をとって逆拡散し、受信信号を原データに対応した帯域幅をもつ狭帯域信号に変換する。続いて、通常のデータ復調を行ない、原データを再生する。
【０００３】
このように、スペクトラム拡散伝送方式では、情報帯域幅に比べて伝送帯域幅が極めて広いので、送信帯域幅が一定の条件下では、通常の狭帯域変調方式に比べ非常に低い伝送速度しか実現できない。
【０００４】
そこで、画像データ等の大量のデータを伝送する手段として、符号分割多重化方式が提案されている。この方式は、高速の情報信号を低速の並列データに変換し、それぞれ異なる拡散符号系列で拡散変調して加算した後に、ＲＦ信号に変換して送信するものであり、拡散変調の拡散率を下げることなしに、送信帯域幅一定の条件下で高速のデータ伝送を実現できる。
【０００５】
図５は、従来例の送信装置の概略構成ブロック図を示す。直並列変換器１１０は入力データをｎ個の並列データに変換する。ｎ個の乗算器１１２−１，１１２−２，・・・，１１２−ｎはそれぞれ、直並列変換器１１０から出力されるｎ個の並列データに、拡散符号発生器１１４が発生する拡散符号ＰＮ１，ＰＮ２，・・・，ＰＮｎを乗算する。これにより、入力データは、ｎチャンネルの広帯域拡散信号に変換される。次に、加算器１１６は、各乗算器１１２−１〜１１２−ｎの出力を加算し、ＲＦ回路１１８に出力する。ＲＦ回路１１８は、加算器１１６の出力を適当な中心周波数の送信周波数信号に変換し、送信アンテナ１２０に供給する。
【０００６】
近年、ビデオ・カメラをカメラ部とＶＴＲ部に分離し、カメラ部からＶＴＲ部に撮影映像をスペクトル拡散伝送方式で無線送信する構成が提案されている。図６は、そのカメラ部の概略構成ブロック図を示し、図７は記録部の概略構成ブロック図を示す。
【０００７】
図６において、１３０は、スペクトラム拡散方式により映像信号（及び音声信号）及び制御データなどを送信するスペクトラム拡散送信回路、１３２は、スペクトラム拡散方式で無線送信された信号を受信し、データを復元するスペクトラム拡散受信回路、１３４は、光学像を電気信号に変換し、映像信号を出力するカメラ・ユニット、１３６はバッテリ等を有し、システム全体に電源を供給する電源ユニット、１３８は、カメラ・ユニット１３４のフォーカス制御及び露出制御等を制御するカメラ部制御回路、１４０はアンテナ、１４２は、送信回路１３０の出力をアンテナ１４０に接続し、アンテナ１４０の受信信号を受信回路１３２の入力に接続するスイッチである。
【０００８】
図７において、１５０はスペクトラム拡散送信回路、１５２はスペクトラム拡散受信回路、１５４は受信された映像信号（及び音声信号）を磁気テープ等に記録する記録ユニット、１５６はバッテリ等を有し、システム全体に電源を供給する電源ユニット、１５８は記録ユニット１５４の図示しない操作キーによる記録再生動作を制御する記録部制御回路、１６０はアンテナ、１６２は、送信回路１５０の出力をアンテナ１６０に接続し、アンテナ１６０の受信出力を受信回路１５２の入力に接続するスイッチである。
【０００９】
このような構成で、画像音声情報をカメラ部（図６）から記録部（図７）に無線送信し、記録部の記録ユニット１３４により磁気テープなどの記録する。
【００１０】
【発明が解決しようとする課題】
従来例には次のような問題点がある。即ち、カメラ部と記録部が有線で接続されているわけではないので、それぞれにバッテリ等の電源を持つ必要がある。その結果、例えば、カメラ部で、バッテリ残量が少なくなったり、バッテリが外れてしまったりして、画像データを送信できなくなった場合でも、記録部はそのまま、スペクトル拡散受信回路１５２を動作させ、記録ユニット１５４も記録モードで動作し続けることになり、異常な画像を記録してしまうだけでなく、無用な電力を消費することになる。
【００１１】
また、カメラ部と記録部が大きく離れてしまったり、両者の間に無線の障害物がある等して、無線通信が長い間不可能になった場合にも、同様の問題が生じる。
【００１２】
本発明は、このような問題を解決する無線受信装置及びその制御方法を提示することを目的とする。
【００１３】
【課題を解決するための手段】
本発明に係る無線受信装置は、無線で送信されたデータを受信する受信手段と、前記受信手段によって受信されたデータを記録媒体に記録する記録手段と、前記受信手段によって受信されたデータのエラー率を検出するエラー率検出手段と、前記エラー率検出手段の検出結果に応じて受信不良であるか否かを判定し、受信不良であると判定された期間が所定期間以上継続した場合は、前記記録手段の記録動作を停止させる制御手段とを有することを特徴とする。
【００１４】
本発明に係る制御方法は、無線で送信されたデータを受信する受信手段と、前記受信手段によって受信されたデータを記録媒体に記録する記録手段とを有する無線受信装置の制御方法であって、前記受信手段によって受信されたデータのエラー率を検出するステップと、前記エラー率検出手段の検出結果に応じて受信不良であるか否かを判定するステップと、受信不良であると判定された期間が所定期間以上継続した場合は、前記記録手段の記録動作を停止させるステップとを有することを特徴とする。
【００１５】
【発明の実施の形態】
以下、図面を参照して、本発明の実施の形態を詳細に説明する。
【００１６】
図１は、本発明の一実施例の概略構成ブロック図を示す。１０は、スペクトラム拡散方式によりディジタル・データを拡散し、ＰＳＫ又はＦＳＫ変調し、ＲＦ（無線周波数）信号に変換して送信するスペクトル拡散送信回路、１２は、送信側と逆の処理で原データを復元するスペクトラム拡散受信回路、１４は、受信された映像信号（及び音声信号）を磁気テープ等に記録する記録ユニット、１６はバッテリ等を有し、システム全体に電源を供給する電源ユニットである。１８は、マイクロコンピュータ等からなり、操作キー２０に応じて全体を制御する記録部制御回路であり、内部に時間を計測するタイマ回路及び情報を記憶するメモリを具備する。２２はアンテナ、２４は送信回路１０の出力をアンテナ２２に接続し、アンテナ２２の受信信号を受信回路１２の入力に接続するスイッチである。２６は、スペクトラム拡散受信回路１２から供給される受信キャリア信号が一定レベル以上かどうかを検出し、検出結果を記録部制御回路１８に供給する受信検出回路である。
【００１７】
図２は、記録部制御回路１８の動作フローチャートを示す。先ず、図１に示す各部を初期化する（Ｓ１）。記録動作を禁止すべき連続受信エラー時間の閾値をメモリＴＳ１に読み込み（Ｓ２）、受信検出回路２６の出力を読み込（Ｓ３）。受信検出回路２６の出力から受信を成功しているか失敗しているかを判定し（Ｓ４）、成功していれば、エラー時間を計数するエラー・タイマをクリアして（Ｓ５）、記録禁止フラグをＬ（低）とする（Ｓ１１）。受信が失敗していれば（Ｓ４）、エラー・タイマの計数値をメモリＴＭ１に読み込み（Ｓ６）、ＴＭ１とＴＳ１を比較する（Ｓ７）。ＴＭ１がＴＳ１より小さければ（Ｓ７）、エラー・タイマをカウントアップして（Ｓ８）、記録禁止フラグをＬにする（Ｓ１１）。ＴＭ１がＴＳ１以上のの場合には（Ｓ７）、エラー・タイマのカウント動作を停止し（Ｓ９）、記録禁止フラグをＨ（高）にする（Ｓ１０）。
【００１８】
Ｓ１０又はＳ１１の後、記録要求（例えば、ユーザが操作キー２０の記録開始スイッチを押す。）が発生したか否かを調べ（Ｓ１２）、記録要求が発生した場合で、記録禁止フラグがＨでないときには（Ｓ１３）、記録ユニット１４に記録動作を開始又は継続させ（Ｓ１４）、記録要求が無い場合（Ｓ１２）、又は、記録要求があっても記録禁止フラグがＨである場合には（Ｓ１２，Ｓ１３）、記録ユニット１４の記録動作を停止する（Ｓ１５）。
【００１９】
Ｓ１４又はＳ１５の後、記録部のその他の処理を実行し（Ｓ１６）、Ｓ３に戻る。
【００２０】
このように構成することで、例えば、離れた場所にあるカメラ部のバッテリが消耗して、記録部に充分な強さの映像音声信号を送信できないようなときには、受信検出回路２６が受信エラーを検出するが（Ｓ４）、閾値ＴＳ１に到達するまでは（Ｓ７）、エラー・タイマをカウント・アップしつつ（Ｓ８）、取り敢えず、記録動作を継続する（Ｓ１４）。そして、受信エラーが継続し（Ｓ４）、エラー・タイマーの計数値ＴＭ１がエラー閾値ＴＳ１以上になった場合（Ｓ７）、記録禁止フラグをＨとし（Ｓ１０）、記録要求に関わらず（Ｓ１２，Ｓ１３）、記録動作を停止する（Ｓ１５）。
【００２１】
カメラ部の電源が回復するなどして、映像音声信号を正常に受信できるようになった場合には（Ｓ４）、記録要求に対して記録動作を実行する（Ｓ１２〜Ｓ１４）。
【００２２】
本実施例では、カメラ部の電池残量が少なくなったり、電池が外れてしまったり、又は、カメラ部と記録部とが大きく離れてしまい、両者の間に無線の障害物が存在したりして、両者の間の通信が長い間不可能になったときに、記録部は、受信不良の間、記録動作を停止させるので、異常な信号を記録してしまうことを防止できる。また、記録を停止させることにより、不要な電力消費も防げる。
【００２３】
図１に示す実施例では、受信したキャリアにより受信が正常か否かを判定し、記録動作を制御したが、受信データのエラー率により記録動作を制御するようにしてもよい。図３は、その変更実施例の概略構成ブロック図を示す。図１と同じ構成要素には同じ符号を付してある。スペクトラム拡散受信回路２８は、伝送エラーを含む受信データを受信データ・エラー率検出回路３０に供給し、受信データ・エラー率検出回路３０は、受信回路３０からの受信データから全受信データに対するエラー率を検出し、記録部制御回路３２に供給する。記録部制御回路３２は、受信データのエラー率に従って後述するように記録ユニット１４の記録動作を制御する。
【００２４】
図４は、記録部制御回路３２の動作フローチャートを示す。図２と同じ動作部分には同じ符号を付してある。Ｓ２の後に、データ・エラー率の閾値をメモリＥＳ１に読み込む（Ｓ２１）。また、Ｓ３の代わりに、受信データ・エラー率検出回路３０から受信データのエラー率をメモリＥＲに読み込み（Ｓ２２）、ＥＲとＥＳ１を比較する（Ｓ２３）。ＥＲがＥＳ１より少ない場合には（Ｓ２３）、受信正常であり、Ｓ５以降に進み、ＥＲがＥＳ１以上の場合には（Ｓ２３）、受信不良であり、Ｓ６以降に進む。以後は、図２と全く同じである。記録部のその他の各種処理を実行したら（Ｓ１６）、Ｓ２２に戻る。
【００２５】
本実施例では、例えば、離れた場所にあるカメラ部との間に電波の障害物があり、受信はできるけれども受信データのエラー率が閾値ＥＳ１以上になる場合（Ｓ２３）、即ち、受信された画像情報の画質や音声情報の音質がある程度以下になってしまう場合には、受信不良として、エラー・タイマをカウントアップする（Ｓ８）。データ・エラー状態が継続して一定時間が経過すると（Ｓ７）、記録禁止フラグがＨとなり（Ｓ１０）、記録要求に対しても記録動作を停止する（Ｓ１２，Ｓ１３，Ｓ１５）。
【００２６】
本実施例は、図１に示す実施例の効果の他に、受信画像や音声がある程度以上乱れた時点で記録動作を停止するので、質のよい画像情報及び音声情報のみを記録できる。
【００２７】
【発明の効果】
以上の説明から容易に理解できるように、本発明によれば、受信不良であると判定された期間が所定期間以上継続した場合は、受信したデータを記録媒体に記録する記録手段の記録動作を停止させることができるので、質のよい画像などを記録媒体に記録することができる。また、電力消費を低減できる。
【図面の簡単な説明】
【図１】  本発明の第１の実施例の概略構成ブロック図である。
【図２】  記録部制御回路１８の動作フローチャートである。
【図３】  本発明の第２実施例の概略構成ブロック図である。
【図４】  記録部制御回路３２の概略構成ブロック図である。
【図５】  スペクトル拡散多重化方式の概略構成ブロック図である。
【図６】  スペクトル拡散方式を用いた従来例の画像送信部の概略構成ブロック図である。
【図７】  図６に対応する受信記録部の概略構成ブロック図である。
【符号の説明】
１０：スペクトル拡散送信回路
１２：スペクトラム拡散受信回路
１４：記録ユニット
１６：電源ユニット
１８：記録部制御回路
２０：操作キー
２２：アンテナ
２４：スイッチ
２６：受信検出回路
２８：スペクトラム拡散受信回路
３０：受信データ・エラー率検出回路
３２：記録部制御回路
１１０：直並列変換器
１１２−１〜１１２−ｎ：乗算器
１１４：拡散符号発生器
１１６：加算器
１１８：ＲＦ回路
１２０：送信アンテナ
１３０：スペクトラム拡散送信回路
１３２：スペクトラム拡散受信回路
１３４：カメラ・ユニット
１３６：電源ユニット
１３８：カメラ部制御回路
１４０：アンテナ
１４２：スイッチ
１５０：スペクトラム拡散送信回路
１５２：スペクトラム拡散受信回路
１５４：記録ユニット
１５６：電源ユニット
１５８：記録部制御回路
１６０：アンテナ
１６２：スイッチ
【図１】
0003919263.tif 000002
【図２】
0003919263.tif 000003
【図３】
0003919263.tif 000004
【図４】
0003919263.tif 000005
【図５】
0003919263.tif 000006
【図６】
0003919263.tif 000007
【図７】
0003919263.tif 000008